(57)【特許請求の範囲】
【請求項１】
筆記面が出射面となった第１の照光部を有する筆記用ベース部と、この筆記用ベース部の端部に中空の円筒状の自在器を介して取付けられて前記筆記面の上方より前記筆記面を照明する第２の照光部と、前記第１の照光部および前記第２の照光部を選択的に照光させる切替手段とを備え、
前記第１の照光部は板状の導光部材を有し、前記導光部材の出射面を前記筆記面とし、入射面を前記自在器に向けており、
前記第２の照光部は前記筆記用ベース部に冠合する箱形のカバーと、その内部に収納されて前記筆記用ベース部に向く表面を出射面とし入射面を前記自在器に向けた導光部材とを有し、
前記切替手段は、前記自在器内に配置された断面Ｃ字形の筒状であってその開口が前記第１の照光部の入射面と前記第２の照光部の入射面とに選択的に回動可能な反射板と、前記反射板の端部に設けられた溝付きの操作部とを有し、前記溝の長手方向が前記反射板の開口方向に向くものであり、
前記反射板内にランプを配置したことを特徴とする暗所筆記用照光装置。
【発明の詳細な説明】
【０００１】
【発明の属する技術分野】
この発明は、暗所筆記用照光装置に関するものである。
【０００２】
【従来の技術】
携帯に便利で暗所でも手に持ったまま筆記できる暗所筆記用照光装置として、図５および図６に示すように、筆記用ベース部５０の筆記面５１を透明部材により形成して、筆記面５１が出射面となった照光部５２を内蔵したものがあった。５３は筆記用紙、矢印Ｌは光である。
【０００３】
【発明が解決しようとする課題】
しかし、この暗所筆記用照光装置は、分厚い用紙に筆記する場合には光が用紙を透過しにくいので暗所での筆記が困難であるという欠点があった。
したがって、この発明の目的は、分厚い用紙および薄い用紙など被写体に応じてもっとも適した作業性のよい暗所筆記用照光装置を提供することである。
【０００４】
【課題を解決するための手段】
請求項１の暗所筆記用照光装置は、筆記面が出射面となった第１の照光部を有する筆記用ベース部と、この筆記用ベース部の端部に中空の円筒状の自在器を介して取付けられて前記筆記面の上方より前記筆記面を照明する第２の照光部と、前記第１の照光部および前記第２の照光部を選択的に照光させる切替手段とを備え、
前記第１の照光部は板状の導光部材を有し、前記導光部材の出射面を前記筆記面とし、入射面を前記自在器に向けており、
前記第２の照光部は前記筆記用ベース部に冠合する箱形のカバーと、その内部に収納されて前記筆記用ベース部に向く表面を出射面とし入射面を前記自在器に向けた導光部材とを有し、
前記切替手段は、前記自在器内に配置された断面Ｃ字形の筒状であってその開口が前記第１の照光部の入射面と前記第２の照光部の入射面とに選択的に回動可能な反射板と、前記反射板の端部に設けられた溝付きの操作部とを有し、前記溝の長手方向が前記反射板の開口方向に向くものであり、
前記反射板内にランプを配置したことを特徴とするものである。
【０００５】
請求項１の暗所筆記用照光装置によれば、裏が透けるような薄い用紙に筆記する場合は筆記用ベース部の第１の照光部から照射し、分厚い用紙に筆記する場合は第２の照光部から照射することにより、被写体に応じた最も適した光を当てることができ、作業性が向上する。
【０００６】
【発明の実施の形態】
この発明の一実施の形態を図１ないし図４により説明する。すなわち、この暗所筆記用照光装置は、筆記用ベース部１と、第２の照光部２と、切替手段３とを有する。
筆記用ベース部１は、筆記面４ａが出射面となった第１の照光部５を有する。実施の形態では不透光性の薄箱状の本体１ａと、本体１ａ内に配置された第１の照光部５を構成する板状の導光部材４とで構成している。第１の照光部５は導光部材４と導光部材４に光を入射する後述の直管形のランプ７とで構成している。導光部材４は、筆記面４ａとなる表面を出射面とし切替手段３側のランプ７に対向する端部を入射面としている。なお筆記面４ａは導光部材４の出射面を直接筆記面４ａとするほかに、筆記面４ａに拡散性または透光性の板を載せこの表面を筆記面４ａとしてもよい。そして筆記面４に筆記用紙が載せられて筆記が行なわれる。
【０００７】
第２の照光部２は、筆記用ベース部１の端部に取付けられて筆記面４ａの上方より筆記面４ａを照明する。実施の形態では、筆記用ベース部１に冠合して全体が板状になることができる箱形の不透光性のカバー２ａと、その内部に収納されて表面を出射面とし切替手段３側のランプ７に対向する端部を入射面とした導光部材８とからなる。
【０００８】
筆記用ベース部１と第２の照光部２とは、公知の構成の中空の円筒状の自在器６により回動自在に連結されている。したがって、使用時には図１に示すように第２の照光部２を筆記用ベース部１から開いているが、不使用時には第２の照光部２が筆記用ベース部１に冠合し板状の形になり携帯に便利になる。また自在器６の中空円筒状の部分に軸方向を揃えてランプ７が収納され、ランプ７の周面の一部に第１の照光部５および第２の照光部２の各導光部材４，８の入射面が対向している。また自在器６、筆記用ベース部１または第２の照光部２のいずれかの内部にスイッチ、電源および点灯装置（図示せず）を内蔵している。このため、点灯装置によりランプ７を点灯すると、その光が導光部材４，８の入射面に入射し、それぞれ出射面より出射することができる。
【０００９】
切替手段３は、第１の照光部５および第２の照光部２を選択的に照光させる。実施の形態では、自在器６内のランプ７の外周を被覆しかつ自在器６の回動中心の回りに回転自在に設けられた断面略Ｃ字形の反射板９と、反射板９の端部に設けた溝１０付きの操作部１５とで構成している。反射板９の開口部９ａの幅は導光部材４，８の入射面の幅にほぼ等しく形成されている。したがって、操作部１５の溝１０に治具（図示せず）を挿入して操作部１５を回すと反射板９の開口部９ａが回動してランプ７の照射方向が変化し、第１の照光部５と第２の照光部２のいずれかの導光部材４，８の入射面に開口部９ａが対向して光を入射するので、第１の照光部５と第２の照光部２とで選択的に光を照射することができる。
【００１０】
図３は、操作部１５の溝１０の長手方向を筆記用ベース部１の長手方向にして第１の照光部５の出射面である筆記面４ａより光を出射した状態である。この場合、筆記用ベース部１の筆記面４ａより、ランプ光が矢印のように裏が透けるような薄い用紙１１を透過して出射する。
図４は、操作部１５の溝１０の長手方向を第２の照光部２のカバー２ａの長手方向にして第２の照光部２の出射面より光を出射した状態である。この場合、第２の照光部２より矢印のように筆記用ベース部１の筆記面４ａに載せたメモ帳のような厚い用紙１２を照明する。
【００１１】
この実施の形態によれば、裏が透けるような薄い用紙１１に筆記する場合は筆記用ベース部１の第１の照光部５から照射し、分厚い用紙１２に筆記する場合は第２の照光部２から照射することにより、被写体に応じた最も適した光を当てることができ、作業性が向上する。
また、第１の照光部５および第２の照光部２のランプを共用しているため、個別にランプを設けた場合と比較して構成が簡単になる。
【００１２】
なお、この発明は、導光部材に代えて、裏面が入射面となり表面が出射面となる拡散板あるいは透光板のみにより形成してもよい。また自在器はなくてもよい。
【００１３】
【発明の効果】
請求項１の暗所筆記用照光装置によれば、裏が透けるような薄い用紙に筆記する場合は筆記用ベース部の第１の照光部から照射し、分厚い用紙に筆記する場合は第２の照光部から照射することにより、被写体に応じた最も適した光を当てることができ、作業性が向上する。
【図面の簡単な説明】
【図１】この発明の一実施の形態の斜視図である。
【図２】その切替手段の説明図である。
【図３】薄い用紙を用いる場合の使用状態の説明図である。
【図４】厚い用紙を用いる場合の使用状態の説明図である。
【図５】従来例の斜視図である。
【図６】その断面略図である。
【符号の説明】
１    筆記用ベース部
２    第２の照光部
３    切替手段
４    第１の照光部
４ａ    筆記面
７    ランプ
９    切替手段である反射板
【図１】
0003772438.tif 000002
【図２】
0003772438.tif 000003
【図３】
0003772438.tif 000004
【図４】
0003772438.tif 000005
【図５】
0003772438.tif 000006
【図６】
0003772438.tif 000007